(57)【特許請求の範囲】
【請求項１】
左音声端子、右音声端子およびＧＮＤ端子が設けられる５極イヤホンプラグ、または左音声端子が前記５極イヤホンプラグのものと同じ位置に設けられかつＧＮＤ端子および右音声端子が前記５極イヤホンプラグのものとは逆の位置に設けられる４極イヤホンプラグに共用される、５極用イヤホンジャックを有し、前記５極用イヤホンジャックは前記５極イヤホンプラグの右音声端子または前記４極イヤホンプラグのＧＮＤ端子と接触する第１端子および左音声端子と接触する第２端子を含む、携帯端末であって、
前記５極用イヤホンジャックに前記４極イヤホンプラグまたは前記５極イヤホンプラグが挿入されたとき、前記第２端子にテスト信号を出力する出力部、および
前記出力部からテスト信号が出力されたとき、前記第１端子でテスト信号を検出するかどうかに応じて、前記５極イヤホンプラグまたは前記４極イヤホンプラグのどちらが挿入されたかを識別する識別部を備える、携帯端末。
【請求項２】
前記識別部によって前記４極イヤホンプラグが挿入されたと識別されたとき、４極イヤホンモードの設定を行う設定部をさらに備える、請求項１記載の携帯端末。
【請求項３】
前記５極用イヤホンジャックは、前記４極イヤホンプラグの右音声端子と接触し、接地されている第３端子をさらに含み、
前記５極用イヤホンジャックに前記４極イヤホンプラグが挿入されたとき、４極イヤホンの左右のイヤピースが前記第２端子と前記第３端子との間で直列の状態となり、前記４極イヤホンプラグの左音声端子に音声を出力する前記第２端子が接触し、
前記４極イヤホンモードが設定されたとき、前記第１端子から出力される音声を停止する停止制御部をさらに備え、
前記４極イヤホンモードが設定されたとき、前記第２端子から出力された音声は、前記左右のイヤピースから出力される、請求項２記載の携帯端末。
【請求項４】
前記第３端子は、前記５極イヤホンプラグのＧＮＤ端子とさらに接触し、
前記５極用イヤホンジャックに前記５極イヤホンプラグが挿入されると、前記５極イヤホンプラグの左音声端子に左音声信号を出力する前記第２端子が接触し、前記５極イヤホンプラグの右音声端子に右音声信号を出力する前記第１端子が接触する、請求項３記載の携帯端末。
【請求項５】
前記４極イヤホンプラグは、マイク端子を含み、
前記マイク端子と繋がるマイクによって得られた音声信号を送信する無線通信回路、および
前記無線通信回路によって送信される音声信号のエコーを抑制するエコーキャンセラをさらに備え、
前記エコーキャンセラは、前記４極イヤホンモードが設定されたとき、前記４極イヤホンモードが設定されていない場合に比べて、前記音声信号のエコーを抑制する制御を行う、請求項２記載の携帯端末。
【請求項６】
前記５極用イヤホンジャックは、前記５極イヤホンプラグのＧＮＤ端子または前記４極イヤホンプラグの右音声端子と接触する第３端子をさらに含み、
前記識別部によって前記５極イヤホンプラグが挿入されたと識別されたとき前記第１端子に右音声信号が出力されかつ前記第３端子が接地されるように切り替え、前記識別部によって前記４極イヤホンプラグが挿入されたと識別されたとき前記第１端子が接地されかつ前記第３端子に右音声信号が出力されるように切り替える切り替え部をさらに備える、請求項１記載の携帯端末。
【請求項７】
前記５極用イヤホンジャックに前記４極イヤホンプラグまたは前記５極イヤホンプラグが挿入されたとき、待機処理を実行する実行部をさらに備え、
前記出力部は、前記待機処理が終了してから、前記第２端子にテスト信号を出力する、請求項１ないし６のいずれかに記載の携帯端末。
【請求項８】
前記第１端子で検出されるテスト信号をパルス信号として増幅する増幅部をさらに備え、
前記識別部は、前記パルス信号の変化を所定回数以上検出したときに、前記５極用イヤホンジャックに前記４極イヤホンプラグが挿入されたと識別する、請求項１ないし７のいずれかに記載の携帯端末。
【請求項９】
前記５極イヤホンプラグは、マイク端子を含み、
前記５極用イヤホンジャックは、前記マイク端子と接触する第４端子を含み、
前記第４端子に電圧バイアスを印加する電源制御部、および
前記５極用イヤホンジャックに前記４極イヤホンプラグまたは前記５極イヤホンプラグが挿入されたとき、前記第４端子に印加されている電圧バイアスをオフにする電圧制御部をさらに備える、請求項１ないし８のいずれかに記載の携帯端末。
【請求項１０】
前記５極用イヤホンジャックは、前記５極イヤホンプラグのＧＮＤ端子または前記４極イヤホンプラグの右音声端子と接触する第３端子をさらに含み、
前記出力部は、前記５極用イヤホンジャックにイヤホンプラグが挿入されたとき、前記第２端子に電圧を印加する電圧印加部を含み、
前記識別部は、前記電圧印加部によって電圧が印加されたとき、前記第１端子の電圧を検出する検出部、前記電圧が印加された後に前記検出部が電圧を検出しないとき、前記５極用イヤホンジャックに前記５極イヤホンプラグが挿入されたと判定する第１判定部、および前記電圧が印加された後に前記検出部が電圧を検出したとき、前記５極用イヤホンジャックに前記４極イヤホンプラグが挿入されたと判定する第２判定部を含む、請求項１記載の携帯端末。
【請求項１１】
前記第１判定部によって前記５極イヤホンプラグが挿入されたと判定されたとき前記第１端子に右音声信号が出力されかつ前記第３端子が接地されるように切り替え、前記第２判定部によって前記４極イヤホンプラグが挿入されたと判定されたとき前記第１端子が接地されかつ前記第３端子に右音声信号が出力されるように切り替える切り替え部をさらに備える、請求項１０記載の携帯端末。
【請求項１２】
左音声端子、右音声端子およびＧＮＤ端子が設けられる５極イヤホンプラグ、または左音声端子が前記５極イヤホンプラグのものと同じ位置に設けられかつＧＮＤ端子および右音声端子が前記５極イヤホンプラグのものとは逆の位置に設けられる４極イヤホンプラグに共用される、５極用イヤホンジャックを有し、前記５極用イヤホンジャックは前記５極イヤホンプラグの右音声端子または前記４極イヤホンプラグのＧＮＤ端子と接触する第１端子および左音声端子と接触する第２端子を含み、前記５極用イヤホンジャックに前記４極イヤホンプラグまたは前記５極イヤホンプラグが挿入されたとき、前記第２端子にテスト信号を出力する出力部を備える、携帯端末のプロセッサを、
前記出力部からテスト信号が出力されたとき、前記第１端子でテスト信号を検出するかどうかに応じて、前記５極イヤホンプラグまたは前記４極イヤホンプラグのどちらが挿入されたかを識別する識別部として機能させる、イヤホン識別プログラム。
【請求項１３】
左音声端子、右音声端子およびＧＮＤ端子が設けられる５極イヤホンプラグ、または左音声端子が前記５極イヤホンプラグのものと同じ位置に設けられかつＧＮＤ端子および右音声端子が前記５極イヤホンプラグのものとは逆の位置に設けられる４極イヤホンプラグ
に共用される、５極用イヤホンジャックを有し、前記５極用イヤホンジャックは前記５極イヤホンプラグの右音声端子または前記４極イヤホンプラグのＧＮＤ端子と接触する第１端子および左音声端子と接触する第２端子を含み、前記５極用イヤホンジャックに前記４極イヤホンプラグまたは前記５極イヤホンプラグが挿入されたとき、前記第２端子にテスト信号を出力する出力部を備える、携帯端末のイヤホン識別方法であって、
前記出力部からテスト信号が出力されたとき、前記第１端子でテスト信号を検出するかどうかに応じて、前記５極イヤホンプラグまたは前記４極イヤホンプラグのどちらが挿入されたかを識別する、イヤホン識別方法。
【請求項１４】
左音声端子、右音声端子およびＧＮＤ端子が設けられる４極イヤホンプラグまたは左音声端子が４極イヤホンプラグのものと同じ位置に設けられかつＧＮＤ端子および右音声端子が前記４極イヤホンプラグのものとは逆の位置に設けられる５極イヤホンプラグに共用されるイヤホンジャックを含み、前記イヤホンジャックは左音声端子と接触する第１端子、前記５極イヤホンプラグのＧＮＤ端子または前記４極イヤホンプラグの右音声端子と接触する第２端子および前記５極イヤホンプラグの右音声端子または前記４極イヤホンプラグのＧＮＤ端子と接触する第３端子を含む、携帯端末であって、
前記イヤホンジャックにイヤホンプラグが挿入されたとき、前記第１端子に電圧を印加する電圧印加部、
前記電圧印加部によって電圧が印加されたとき、前記第３端子の電圧を検出する検出部、
前記電圧が印加された後に前記検出部が電圧を検出しないとき、前記イヤホンジャックに前記５極イヤホンプラグが挿入されたと判定する第１判定部、
前記電圧が印加された後に前記検出部が電圧を検出したとき、前記イヤホンジャックに前記４極イヤホンプラグが挿入されたと判定する第２判定部、および
前記第１判定部によって前記５極イヤホンプラグが挿入されたと判定されたとき前記第３端子に右音声信号が出力されかつ前記第２端子が接地されるように切り替え、前記第２判定部によって前記４極イヤホンプラグが挿入されたと判定されたとき前記第３端子が接地されかつ前記第２端子に右音声信号が出力されるように切り替える切り替え部を備える、携帯端末。
【請求項１５】
ＧＮＤ端子と第１音声端子と第２音声端子とを少なくとも有し、ＧＮＤ端子と第１音声端子との位置が互いに逆の位置に設けられている、第１イヤホンプラグおよび第２イヤホンプラグが挿入可能な、携帯端末であって、
前記第１イヤホンプラグまたは前記第２イヤホンプラグが挿入された場合に、挿入されたイヤホンプラグの第２音声端子にテスト信号を出力する出力部、および
前記出力部からテスト信号が出力されたとき、前記第１イヤホンプラグのＧＮＤ端子から前記テスト信号が検出されているか否かに応じて、前記ＧＮＤ端子と前記第１音声端子へ出力される信号とを切り替える切替部を備える、携帯端末。
【発明の詳細な説明】
【技術分野】
【０００１】
この発明は、携帯端末、イヤホン識別プログラムおよびイヤホン識別方法に関し、特にイヤホンを利用して音声を出力することができる、携帯端末、イヤホン識別プログラムおよびイヤホン識別方法に関する。
【背景技術】
【０００２】
イヤホンによって音声を出力することができる、携帯端末の一例が特許文献１に開示されている。特許文献１の携帯電話機は、端子の数が異なるイヤホンマイクまたはＰＴＴイヤホンマイクが接続されるイヤホンマイク端子を備える。
【特許文献１】特許第４５２６５７１号公報[H04M  1/00,  H04M  1/02,  H04M  1/05]
【発明の概要】
【発明が解決しようとする課題】
【０００３】
ところが、特許文献１の携帯電話機は、端子の数が異なるイヤホンマイクまたはＰＴＴイヤホンマイクの接続を判断するために、イヤホンマイク端子には７つの接点が必要であった。
【０００４】
それゆえに、この発明の主たる目的は、新規な、携帯端末、イヤホン識別プログラムおよびイヤホン識別方法を提供することである。
【０００５】
この発明の他の目的は、端子の数が異なるイヤホンを適切に利用することができる、携帯端末、イヤホン識別プログラムおよびイヤホン識別方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、左音声端子、右音声端子およびＧＮＤ端子が設けられる５極イヤホンプラグ、または左音声端子が５極イヤホンプラグのものと同じ位置に設けられかつＧＮＤ端子および右音声端子が５極イヤホンプラグのものとは逆の位置に設けられる４極イヤホンプラグに共用される、５極用イヤホンジャックを有し、５極用イヤホンジャックは５極イヤホンプラグの右音声端子または４極イヤホンプラグのＧＮＤ端子と接触する第１端子および左音声端子と接触する第２端子を含む、携帯端末であって、５極用イヤホンジャックに４極イヤホンプラグまたは５極イヤホンプラグが挿入されたとき、第２端子にテスト信号を出力する出力部、および出力部からテスト信号が出力されたとき、第１端子でテスト信号を検出するかどうかに応じて、５極イヤホンプラグまたは４極イヤホンプラグのどちらが挿入されたかを識別する識別部を備える、携帯端末である。
【００４０】
第２の発明は、左音声端子、右音声端子およびＧＮＤ端子が設けられる５極イヤホンプラグ、または左音声端子が５極イヤホンプラグのものと同じ位置に設けられかつＧＮＤ端子および右音声端子が５極イヤホンプラグのものとは逆の位置に設けられる４極イヤホンプラグに共用される、５極用イヤホンジャックを有し、５極用イヤホンジャックは５極イヤホンプラグの右音声端子または４極イヤホンプラグのＧＮＤ端子と接触する第１端子および左音声端子と接触する第２端子を含み、５極用イヤホンジャックに４極イヤホンプラグまたは５極イヤホンプラグが挿入されたとき、第２端子にテスト信号を出力する出力部を備える、携帯端末のプロセッサを、出力部からテスト信号が出力されたとき、第１端子でテスト信号を検出するかどうかに応じて、５極イヤホンプラグまたは４極イヤホンプラグのどちらが挿入されたかを識別する識別部として制御する、イヤホン識別プログラムである。
【００４２】
第３の発明は、左音声端子、右音声端子およびＧＮＤ端子が設けられる５極イヤホンプラグ、または左音声端子が５極イヤホンプラグのものと同じ位置に設けられかつＧＮＤ端子および右音声端子が５極イヤホンプラグのものとは逆の位置に設けられる４極イヤホンプラグに共用される、５極用イヤホンジャックを有し、５極用イヤホンジャックは５極イヤホンプラグの右音声端子または４極イヤホンプラグのＧＮＤ端子と接触する第１端子および左音声端子と接触する第２端子を含み、５極用イヤホンジャックに４極イヤホンプラグまたは５極イヤホンプラグが挿入されたとき、第２端子にテスト信号を出力する出力部を備える、携帯端末のイヤホン識別方法であって、出力部からテスト信号が出力されたとき、第１端子でテスト信号を検出するかどうかに応じて、５極イヤホンプラグまたは４極イヤホンプラグのどちらが挿入されたかを識別する、イヤホン識別方法である。
【００４４】
第４の発明は、左音声端子、右音声端子およびＧＮＤ端子が設けられる４極イヤホンプラグまたは左音声端子が４極イヤホンプラグのものと同じ位置に設けられかつＧＮＤ端子および右音声端子が４極イヤホンプラグのものとは逆の位置に設けられる５極イヤホンプラグに共用されるイヤホンジャックを含み、イヤホンジャックは左音声端子と接触する第１端子、５極イヤホンプラグのＧＮＤ端子または４極イヤホンプラグの右音声端子と接触する第２端子および５極イヤホンプラグの右音声端子または４極イヤホンプラグのＧＮＤ端子と接触する第３端子を含む、携帯端末であって、イヤホンジャックにイヤホンプラグが挿入されたとき、第１端子に電圧を印加する電圧印加部、電圧印加部によって電圧が印加されたとき、第３端子の電圧を検出する検出部、電圧が印加された後に検出部が電圧を検出しないとき、イヤホンジャックに５極イヤホンプラグが挿入されたと判定する第１判定部、電圧が印加された後に検出部が電圧を検出したとき、イヤホンジャックに４極イヤホンプラグが挿入されたと判定する第２判定部、および第１判定部によって５極イヤホンプラグが挿入されたと判定されたとき第３端子に右音声信号が出力されかつ第２端子が接地されるように切り替え、第２判定部によって４極イヤホンプラグが挿入されたと判定されたとき第３端子が接地されかつ第２端子に右音声信号が出力されるように切り替える切り替え部を備える、携帯端末である。
【００４７】
第５の発明は、ＧＮＤ端子と第１音声端子と第２音声端子とを少なくとも有し、ＧＮＤ端子と第１音声端子との位置が互いに逆の位置に設けられている、第１イヤホンプラグおよび第２イヤホンプラグが挿入可能な、携帯端末であって、第１イヤホンプラグまたは第２イヤホンプラグが挿入された場合に、挿入されたイヤホンプラグの第２音声端子にテスト信号を出力する出力部、および出力部からテスト信号が出力されたとき、第１イヤホンプラグのＧＮＤ端子からテスト信号が検出されているか否かに応じて、ＧＮＤ端子と第１音声端子へ出力される信号とを切り替える切替部を備える、携帯端末である。
【発明の効果】
【００４９】
この発明によれば、端子の数が異なるイヤホンを適切に利用することができる。
【００５０】
この発明の上述の目的、その他の目的、特徴および利点は、図面を参照して行う以下の実施例の詳細な説明から一層明らかとなろう。
【図面の簡単な説明】
【００５１】
【図１】図１はこの発明の一実施例の携帯電話機の電気的な構成を示す図解図である。
【図２】図２は図１に示すイヤホンジャックに挿入される５極イヤホンプラグの外観の一例を示す図解図である。
【図３】図３は図１に示すイヤホンジャックに挿入される４極イヤホンプラグの外観の一例を示す図解図である。
【図４】図４は図１に示すプロセッサおよびイヤホンジャックの周辺の電気的な構成の一例を示す図解図である。
【図５】図５は図１に示すイヤホンジャックに５極イヤホンプラグが挿入されたときの電気的な接続の一例を示す図解図である。
【図６】図６は図１に示すイヤホンジャックに４極イヤホンプラグが挿入されたときの電気的な接続の一例を示す図解図である。
【図７】図７は図１に示すイヤホンジャックに４極イヤホンプラグが挿入されたときの電気的な接続の他の一例を示す図解図である。
【図８】図８は図４に示す第１増幅回路および第２増幅回路によって増幅される信号の波形の一例を示す図解図である。
【図９】図９は図１に示すイヤホンジャックに５極イヤホンプラグが挿入されたときの電気的な接続の他の一例を示す図解図である。
【図１０】図１０は図２に示す５極イヤホンプラグがイヤホンジャックに挿入されている状態のイヤホンジャックの断面の一例を示す図解図である。
【図１１】図１１は図１０に示す５極イヤホンプラグがイヤホンジャックに挿入されている状態の電気的な接続の一例を示す図解図である。
【図１２】図１２は図１に示すＲＡＭのメモリマップの一例を示す図解図である。
【図１３】図１３は図１に示すプロセッサの識別処理の一例を示すフロー図である。
【図１４】図１４は図１に示すプロセッサおよびイヤホンジャックの周辺の電気的な構成の他の一例を示す図解図である。
【図１５】図１５は図１に示すプロセッサの識別処理の他の一例を示すフロー図である。
【図１６】図１６はこの発明の他の実施例の携帯電話機の電気的な構成を示す図解図である。
【図１７】図１７は図１６に示すイヤホンジャックの電気的な構成の他の一例を示す図解図である。
【図１８】図１８は図１７に示すイヤホンジャックにイヤホンプラグが挿入された状態の回路を示す図解図である。
【図１９】図１９は図１６に示すＲＡＭのメモリマップの他の一例を示す図解図である。
【図２０】図２０は図１６に示すプロセッサの判定処理の一例を示すフロー図である。
【発明を実施するための形態】
【００５２】
＜第１実施例＞
図１を参照して、携帯電話機１０は、携帯端末の一種であり、プロセッサ１８を含む。また、プロセッサ１８には、アンテナ１２、マイク１４、スピーカ１６、キー入力装置２０、表示ドライバ２２、イヤホンジャック２６、フラッシュメモリ２８、ＲＡＭ３０および電源回路３２などが接続される。
【００５３】
また、表示ドライバ２２にはディスプレイ２４が接続される。そして、電源回路３２には二次電池３４などが接続される。なお、イヤホンジャック２６は電源回路３２とも接続される。
【００５４】
プロセッサ１８は、コンピュータまたはベースバンドチップとも呼ばれ、携帯電話機１０の全体制御を司るために複数の回路を含む。ＲＡＭ３０は、プロセッサ１８の作業領域（描画領域を含む）ないしバッファ領域として用いられる。フラッシュメモリ２８には、携帯電話機１０の文字、画像、音声、音および映像のようなコンテンツのデータが記録される。
【００５５】
マイク１４を通して入力される音声ないし音についてのアナログ音声信号は、プロセッサ１８に入力される。また、プロセッサ１８の内部では、デジタル音声信号がアナログ音声信号に変換され、アナログ音声信号に対応する音声ないし音がスピーカ１６から出力される。
【００５６】
キー入力装置２０は操作部と呼ばれ、通話キー、機能キーおよび終話キーなどを含む。また、使用者が操作したキーの情報（キーデータ）はプロセッサ１８に入力される。また、後述するＰＴＴ（Ｐｕｓｈ  Ｔｏ  Ｔａｌｋ）機能が実行されている場合、機能キーがＰＴＴスイッチとして利用される。
【００５７】
表示ドライバ２２は、プロセッサ１８の指示の下、ディスプレイ２４の表示を制御する。また、表示ドライバ２２は表示する画像データを一時的に記憶するビデオメモリを含む。
【００５８】
また、ディスプレイ２４には、ＬＥＤを光源とするバックライトが設けられている。さらに、バックライトは、ディスプレイ２４に含まれる表示パネルに対してエッジライト方式に基づいて設けられる。なお、バックライトの光源としては、ＬＥＤが採用されるが、他の実施例では冷陰極管などが採用されてもよい。
【００５９】
電源回路３２は電源管理用のＩＣであり、電源回路３２は二次電池３４の電圧に基づく電源をシステム全体に供給する。ここで、電源回路３２が電源をシステム全体に供給している状態を、電源オン状態と言うことにする。一方、電源回路３２が電源をシステム全体に供給していない状態を、電源オフ状態と言うことにする。電源回路３２は、電源オフ状態で、キー入力装置２０によって電源オン操作がされると起動され、電源オン状態で、キー入力装置２０によって電源オフ操作がされると停止される。さらに、電源オフ状態であっても、電源回路３２は、図示しない外部電源コネクタに外部電源が接続され、二次電池３４に電力が供給（充電）されると起動し、二次電池３４の満充電状態が検出されると停止する。また、「充電」とは、外部電源コネクタが外部電源と接続され外部電源から電力の供給を受け、二次電池３４が電気エネルギーを蓄えることを言う。
【００６０】
なお、電源回路３２は、２．６Ｖを出力する＋Ｂ１のポートと１．８Ｖを出力する＋Ｂ２のポートを含んでいる。そして、上記２つのポートは、それぞれイヤホンジャック２６と接続されている。
【００６１】
５極用イヤホンジャック２６はメス端子であり、オス端子であるイヤホンのプラグ（イヤホンプラグ）が挿入される。そのため、イヤホンプラグが５極用イヤホンジャック２６に挿入されると、挿入または抜去されたことを示す挿入信号が変化する。そして、プロセッサ１８が挿入信号の変化に基づいてイヤホンプラグが挿入されていると判断すると、アナログ音声信号に対応する音声ないし音がイヤホンのスピーカ（以下、イヤピースと言う。）から出力されるように、スイッチ（ＳＷ２，ＳＷ３）が切り替えられる。なお、マイクを有しているイヤホンのイヤホンプラグが挿入されていると、音声がイヤホンのマイク（以下、イヤホンマイクと言う。）によって取得されるように、スイッチ（ＳＷ４）が切り替えられる。
【００６２】
そして、イヤホンジャック２６は、５極用イヤホンジャックとも呼ばれ、左右のイヤピースとイヤホンマイクとスイッチとを含む５極のＰＴＴイヤホンを、挿入可能な形状をしている。ただし、イヤホンジャック２６には、左右のイヤピースとイヤホンマイクとスイッチとを含む４極のハンズフリーイヤホンを、挿入することも可能である。つまり、本実施例のイヤホンジャック２６は、メーカなどの要求仕様に対応するＰＴＴイヤホンのイヤホンプラグ、または携帯電話機用として市場に多く出回っているハンズフリーイヤホンのイヤホンプラグに共用される。
【００６３】
以下、ＰＴＴイヤホンが有するスイッチを「ＰＴＴスイッチ」と言い、ハンズフリーイヤホンが有するスイッチを「イヤホンスイッチ」と言う。また、ＰＴＴイヤホンを「５極イヤホン」、ハンズフリーイヤホンを「４極イヤホン」と言うこともある。
【００６４】
なお、５極イヤホンプラグおよび４極イヤホンプラグの形状については後述するため、ここでの詳細な説明は省略する。
【００６５】
携帯電話機１０は上述したＰＴＴ機能に対応している。ＰＴＴ機能とは、他の端末と半二重通信を確立して、相手と交互に音声通信を行う機能のことである。また、本実施例の携帯電話機１０でＰＴＴ機能が実行されると、複数の携帯電話機を含むグループが設定され、そのグループ内の各携帯電話機は、他の携帯電話機それぞれと半二重通信を確立する。そして、誰も音声を発信していない状態で、或る携帯電話機の使用者がＰＴＴスイッチをオンにすると、使用者は全ての他の携帯電話機に対して音声を発信することができる。また、ＰＴＴスイッチがオフにされると、他の携帯電話機から発信された音声が受信できるようになる。つまり、ＰＴＴ機能が実行された状態では、使用者はＰＴＴスイッチのオン／オフを切り替えることで、音声の発信状態と音声の受信状態とを切り替えることができる。
【００６６】
たとえば、ＰＴＴ機能が実行された状態でＰＴＴイヤホンが利用されている場合、使用者は左右のイヤピースで受信した音声を聞き、ＰＴＴスイッチを操作することで発信状態および受信状態を切り替えることができる。
【００６７】
また、ＰＴＴ機能が実行された状態でハンズフリーイヤホンが利用されても、使用者はハンズフリーイヤホンを利用して受信した音声を聞いたり、音声を入力したりすることができる。そして、使用者は、キー入力装置２０に含まれるＰＴＴスイッチを操作することで、発信状態および受信状態を切り替えることができる。
【００６８】
さらに、ＰＴＴ機能が実行された状態で各イヤホンを利用しなくても、使用者は携帯電話機１０のスピーカ１６を利用して受信した音声を聞いたり、マイク１４を利用して音声を入力したりすることができる。なお、この場合も、使用者は、キー入力装置２０に含まれるＰＴＴスイッチを操作することで、発信状態および受信状態を切り替えることができる。
【００６９】
図２（Ａ）は５極イヤホンプラグを横側から見た外観を示す図解図であり、図２（Ｂ）は５極イヤホンプラグを先端側から見た外観を示す図解図である。図２（Ａ）を参照して、５極イヤホンプラグには、先端側からマイク端子５０ａ、左音声端子５２ａ、ＧＮＤ端子５４ａおよび右音声端子５６ａが設けられている。また、図２（Ａ）、（Ｂ）から分かるように、５極イヤホンプラグには、右音声端子５６ａを囲うようにスイッチ端子５８ａがさらに設けられている。そして、マイク端子５０ａ、左音声端子５２ａ、ＧＮＤ端子５４ａおよび右音声端子５６ａは、絶縁体（図では斜線で示す）によって絶縁されている。
【００７０】
マイク端子５０ａはＰＴＴイヤホンのイヤホンマイクと繋がっており、左音声端子５２ａは左イヤピースと繋がっており、右音声端子５６ａは右イヤピースと繋がっており、スイッチ端子５８ａはＰＴＴスイッチと繋がっている。さらに、ＧＮＤ端子５４ａは、イヤホンジャック２６に挿入されると携帯電話機１０のＧＮＤと繋がれる。
【００７１】
図３（Ａ）は４極イヤホンプラグを横から見た外観を示す図解図であり、図３（Ｂ）は４極イヤホンプラグを先端側から見た外観を示す図解図である。図３（Ａ）を参照して、４極イヤホンプラグには、先端側からマイク端子５０ｂ、左音声端子５２ｂ、右音声端子５６ｂおよびＧＮＤ端子５４ｂが設けられている。また、図３（Ａ）、（Ｂ）から分かるように、５極イヤホンプラグと異なり、４極イヤホンプラグにはスイッチ端子５８ａが設けられていない。そして、４極イヤホンプラグの各端子は、５極イヤホンプラグと同様、絶縁体によって絶縁される。
【００７２】
マイク端子５０ｂはハンズフリーイヤホンのイヤホンマイクおよびイヤホンスイッチと繋がっており、左音声端子５２ｂは左イヤピースと繋がっており、右音声端子５６ｂは右イヤピースと繋がっている。さらに、ＧＮＤ端子５４ｂは、イヤホンジャック５４に挿入されると携帯電話機１０のＧＮＤと繋がれる。
【００７３】
なお、以下の説明では、５極イヤホンプラグと４極イヤホンプラグとで、各端子を識別する必要が無い場合には、アルファベットの添え字を省略する。
【００７４】
図４は、プロセッサ１８およびイヤホンジャック２６の周辺の電気的な構成を示す図解図である。図４を参照して、プロセッサ１８は、制御回路７０、無線通信回路７２、ＶＯＣＯＲＤＥＲ７４、エコーキャンセラ７６およびＤＴＭＦ（Ｄｕａｌ  Ｔｏｎｅ  Ｍｕｌｔｉ  Ｆｒｅｑｕｅｎｃｙ）ジェネレータ９６などを含む。また、制御回路７０は、無線通信回路７２、エコーキャンセラ７６およびＤＴＭＦジェネレータ９６などと接続される。無線通信回路７２は、プロセッサ１８の内部で、アンテナ１２と接続されると共に、送信経路および受信経路がＶＯＣＯＤＥＲ７４を介して、エコーキャンセラ７６と接続される。
【００７５】
受信経路では、エコーキャンセラ７６はスイッチＳＷ１および第１デジタルゲイン７８を介して、Ｄ／Ａ変換器８０と接続される。また、Ｄ／Ａ変換器８０は、左音声信号の経路ではセレクタ８１、第１アナログアンプ８２およびスイッチＳＷ２を介して加算器８６と接続されると共に、右音声信号の経路ではセレクタ８１、第２アナログアンプ８４およびスイッチＳＷ３を介して加算器８６と接続される。そして、加算器８６は第３アナログアンプ８８を介して、スピーカ１６と接続される。
【００７６】
一方、送信経路では、マイク１４とエコーキャンセラ７６との間において、マイク１４側からスイッチＳＷ４、第４アナログアンプ９０、Ａ／Ｄ変換機９２および第２デジタルゲイン９４が接続される。
【００７７】
無線通信回路７２はＣＤＭＡ方式で無線通信を行うための回路である。たとえば、使用者がキー入力装置２０を用いて電話発信（発呼）を指示すると、無線通信回路７２は、制御回路７０の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、制御回路７０は通話処理を実行する。
【００７８】
通常の通話処理について具体的に説明すると、相手の電話機から送られてきた変調音声信号はアンテナ１２によって受信される。受信された変調音声信号には、無線通信回路７２によって復調処理が施され、ＶＯＣＯＤＥＲ７４によって復号処理が施される。また、これらの処理によって得られた受話音声信号は、第１デジタルゲイン７８で増幅され、第１Ｄ／Ａ変換器８０によってアナログ音声信号に変換される。また、制御回路７０はセレクタ８１を制御することで、変換されたアナログ音声信号を左右の音声信号の経路に出力する。つまり、変換されたデジタル音声信号は、第１アナログアンプ８２および第２アナログアンプ８４によって、それぞれ増幅された後に、加算器８６によって２つのデジタル音声信号が加算される。そして、加算されたデジタル音声信号は、第３アナログアンプ８８で増幅されてから、スピーカ１６に与えられる。そのため、アナログ音声信号に対応する受話音声信号ないし音がスピーカ１６から出力される。
【００７９】
一方、マイク１４を通して取り込まれた送話音声信号は、スイッチＳＷ４を介して、第４アナログアンプ９０で増幅され、Ａ／Ｄ変換器９２によってデジタル音声信号に変換された後に、第２デジタルゲイン９４によってさらに増幅される。また、増幅されたデジタル音声信号は、エコーキャンセラ７６によって「エコー」と呼ばれるノイズ成分が除去される。なお、「エコー」とは、たとえばマイク１４が受話音声信号を取得してしまうことで、送話音声信号に生じるノイズである。
【００８０】
そして、エコーが除去されたデジタル音声信号は、ＶＯＣＯＤＥＲ７４によって符号化処理が施され、無線通信回路７２によって変調処理が施され、アンテナ１２を介して出力される。したがって、変調音声信号は、基地局および通信網を介して相手の電話機に送信される。
【００８１】
また、相手の電話機からの電話発信信号がアンテナ１２によって受信されると、無線通信回路７２は、電話着信（着呼）を制御回路７０に通知する。これに応じて、プロセッサ１８（制御回路７０）は、表示ドライバ２２を制御して、着信通知に記述された発信元情報（電話番号など）をディスプレイ２４に表示する。また、これとほぼ同時に、制御回路７０は、スピーカ１６から着信音（着信メロディ、着信音声と言うこともある。）を出力させる。
【００８２】
そして、使用者が通話キーを用いて応答操作を行うと、無線通信回路７２は、制御回路７０の指示の下、電話着信処理を実行する。さらに、通信可能状態が確立され、制御回路７０は上述した通常の通話処理を実行する。
【００８３】
また、通話可能状態に移行した後に終話キーによって通話終了操作が行われると、制御回路７０は、無線通信回路７２を制御して、通話相手に通話終了信号を送信する。そして、通話終了信号の送信後、制御回路７０は通話処理を終了する。また、先に通話相手から通話終了信号を受信した場合も、制御回路７０は通話処理を終了する。さらに、通話相手によらず、移動通信網から通話終了信号を受信した場合も、制御回路７０は通話処理を終了する。
【００８４】
なお、相手が話中であることを示す信号を受信した場合は、制御回路７０はスイッチＳＷ１を切り替えて、出力部であるＤＴＭＦジェネレータ９６にトーン信号の出力命令を発行することで、スピーカ１６からトーン信号を出力する。
【００８５】
次に、イヤホンジャック２６には、５極イヤホンプラグの右音声端子５６ａまたは４極イヤホンプラグのＧＮＤ端子５４ｂと接触する第１ジャック端子（第１端子）、５極イヤホンプラグのＧＮＤ端子５４ａまたは４極イヤホンプラグの右音声端子５６ｂと接触する第２ジャック端子（第３端子）、左音声端子５２と接触する第３ジャック端子（第２端子）、マイク端子５０と接触する第４ジャック端子、５極イヤホンプラグのスイッチ端子５８ａと接触する第５ジャック端子および第４ジャック端子とイヤホンジャック２６の内部で接触する第６ジャック端子が含まれる。
【００８６】
第１ジャック端子には右音声信号が入力され、プロセッサ１８のスイッチＳＷ３と接続される。また、第１ジャック端子とスイッチＳＷ３との間には、第１増幅回路１１０が接続される。また、第１増幅回路１１０には第２増幅回路１１２が接続され、第２増幅回路１１２の出力が識別信号として制御回路７０に入力される。なお、第１増幅回路１１０および第２増幅回路１１２はまとめて増幅部と呼ばれることがある。また、この増幅部については後述するため、ここでの詳細な説明は省略する。
【００８７】
第２ジャック端子は接地される。また、第３ジャック端子には左音声信号が入力され、プロセッサ１８のスイッチＳＷ２と接続される。
【００８８】
第４ジャック端子はスイッチＳＷ４と接続される。また、第４ジャック端子のスイッチＳＷ４との間には、抵抗Ｒ１を介して、電源回路３２の＋Ｂ２が接続される。さらに、第４ジャック端子には、ＰＴＴイヤホンまたはハンズフリーイヤホンのマイクを通して入力される音声ないし音についてのマイク信号が入力される。
【００８９】
第５ジャック端子は、プロセッサ１８の制御回路７０と接続される。また、第５ジャック端子と制御回路７０との間には、抵抗Ｒ２を介して、電源回路３２の＋Ｂ１が接続される。そして、第５ジャック端子に印加される電圧値は、ＰＴＴスイッチのオン／オフによって変化するため、その電圧値は、ＰＴＴスイッチ信号として利用される。
【００９０】
第６ジャック端子は、プロセッサ１８の制御回路７０と接続されている。また、第６ジャック端子と制御回路７０との間では、抵抗Ｒ３を介してＧＮＤと接続される。さらに、第６ジャック端子は、イヤホンプラグが挿入されていない状態では上述したように、接点７１で第４ジャック端子と接触しており、イヤホンプラグが挿入された状態になると、第４ジャック端子から離れる。そして、第４ジャック端子には＋Ｂ２が接続されているため、接点が第４ジャック端子と接触していれば、第６ジャック端子に電圧が印加される。一方、接点が第４ジャック端子と接触していなければ、第６ジャック端子には電圧が印加されない。そのため、第６ジャック端子の電圧値は、イヤホンプラグの挿入／抜去を示す挿入信号として利用される。
【００９１】
たとえば、イヤホンプラグが挿入されていなければ第６ジャック端子には電圧が印加されるため挿入信号は「Ｈ（Ｈｉｇｈ）」となり、制御回路７０はイヤホンプラグが挿入されていないと判断する。一方、イヤホンプラグが挿入されていれば第６ジャック端子には電圧が印加されないため、挿入信号は「Ｌ（Ｌｏｗ）」となり、制御回路７０はイヤホンプラグが挿入されていると判断する。
【００９２】
ここで、イヤホンジャック２６にイヤホンプラグが挿入され、検出信号が「Ｌ」となると、スイッチＳＷ２，ＳＷ３，ＳＷ４がそれぞれ切り替えられる。そのため、第１アナログアンプ８２には加算器８６に代えて、イヤホンジャック２６の第３ジャック端子が接続される。また、第２アナログアンプ８４には加算器８６に代えて、イヤホンジャック２６の第１ジャック端子が接続される。さらに、第４アナログアンプ９０には、マイク１４に代えて、イヤホンジャックの第４ジャック端子が接続される。
【００９３】
その結果、スピーカ１６に出力される左音声信号が、第３ジャック端子と接続されるイヤピースから出力されるようになる。また、スピーカ１６に出力される右音声信号が、第１ジャック端子と接続されるイヤピースから出力されるようになる。そして、マイク１４によって取得されていた周囲音が、第４ジャック端子と接続されるイヤホンマイクによって取得されるようになる。
【００９４】
図５は５極用イヤホンジャック２６に５極イヤホンプラグが挿入されたときの電気的な接続の一例を示す図解図である。図５を参照して、右音声信号を出力する第１ジャック端子には、右イヤピース（Ｒｃｈ）と繋がる右音声端子５６ａが接続される。接地される第２ジャック端子には、５極イヤホンプラグのＧＮＤ端子５４ａが接続される。左音声信号を出力する第３ジャック端子には、左イヤピース（Ｌｃｈ）と繋がる左音声端子５２ａが接続される。マイク信号が入力される第４ジャック端子には、イヤホンマイク（Ｍｉｃ）と繋がるマイク端子５０ａが接続される。ＰＴＴスイッチ信号が入力される第５ジャック端子には、ＰＴＴスイッチと繋がるスイッチ端子５８ａが接続される。
【００９５】
図６は５極用イヤホンジャック２６に４極イヤホンプラグが挿入されたときの電気的な接続の一例を示す図解図である。図６を参照して、右音声信号を出力する第１ジャック端子には、４極イヤホンプラグのＧＮＤ端子５４ｂが接続される。接地される第２ジャック端子には、右イヤピース（Ｒｃｈ）と繋がる右音声端子５６ｂが接続される。左音声信号を出力する第３ジャック端子には、左イヤピース（Ｌｃｈ）と繋がる左音声端子５２ｂが接続される。マイク信号が入力される第４ジャック端子には、イヤホンマイク（Ｍｉｃ）と繋がるマイク端子５０ｂが接続される。ただし、４極イヤホンには、ＰＴＴ端子５８が無いため、第５ジャック端子には何も接続されない。
【００９６】
なお、図５および図６では、検出信号を出力する第６ジャック端子については、図示を省略する。
【００９７】
ここで、図２（Ａ）および図３（Ａ）に示すように、４極イヤホンプラグのＧＮＤ端子５４ｂおよび右音声端子５６ｂが設けられる位置は、５極イヤホンプラグのものとは逆の位置に設けられている。そのため、図５および図６から分かるように、５極用のイヤホンジャック２６に５極イヤホンプラグが挿入された場合と４極イヤホンプラグが挿入された場合とでは、第１ジャック端子および第２ジャック端子に接続されるイヤホンプラグの端子が入れ替わる。
【００９８】
たとえば、ＰＴＴ機能によって通話している場合、受話音声信号はモノラル音声として第１ジャック端子および第３ジャック端子から出力されるため、左右のイヤピースからは同じ音声が出力される。ところが、４極イヤホンプラグが５極用イヤホンジャック２６に挿入されているときに、ＰＴＴ機能によって通話すると、ほぼ同位相、同レベルのモノラル信号が、４極イヤホンの左イヤピースの両端に印加される。この場合、左イヤピースの両端の電圧差がほぼ生じなくなってしまうため、左イヤピースの音声出力が極小となる。一方、右イヤピースには、第１ジャック端子から出力される右音声信号がシングルエンドの形態で印加されるので、適切な音量で出力される。したがって、４極イヤホンが利用されている場合、左右の音量に大きな差が生じてしまう。
【００９９】
また、４極イヤホンのＧＮＤには、接地されている第２ジャック端子に接続されず、右音声信号（モノラル信号）が入力される。そのため、右音声信号が漏れ信号としてイヤホンマイクに回り込んでしまい、第４ジャック端子に漏れ信号が入力されてしまう。その結果、第４ジャック端子に入力された漏れ信号（右音声信号）が、エコーとして、通話相手に送信されてしまう。
【０１００】
これらの問題に対して、第１ジャック端子と第２ジャック端子とを短絡させどちらも接地させる対策と、エコーキャンセラ７６の設定を４極イヤホンプラグが挿入された状態に固定する対策とが考えられる。そして、これらの対策を施した場合、４極イヤホンプラグまたは５極イヤホンプラグのどちらが挿入されたとしても、左イヤピース側から音声が出力され、漏れ信号がイヤホンマイクに回り込まないようになる。また、エコーキャンセラ７６によってダブルトーク性能がやや低下するが、利用されているイヤホンの種類に関係なく、一定の通話品質を確保することができるようになる。
【０１０１】
ところが、これらの対策を施した場合、要求仕様に対応する５極イヤホンプラグが挿入されても、右イヤピースから音声は出力されなくなってしまう。また、５極イヤホンが利用されているときは、エコーキャンセラ７６によって、ダブルトーク性能を低下させる必要が無いにも関わらず、５極イヤホンが利用されているときもダブルトーク性能を低下させなければならない。
【０１０２】
そこで、第１実施例では、イヤホンジャック２６に挿入されたイヤホンプラグの種類を識別して、４極イヤホンプラグがイヤホンジャック２６に挿入された場合は、４極イヤホンモードとして動作させることで、上述の問題を解消する。
【０１０３】
まず、挿入されたイヤホンプラグの種類を識別する方法について説明する。挿入信号の状態が変化し、イヤホンプラグの挿入が検出されると、制御回路７０は、スイッチＳＷ１をＤＴＭＦジェネレータ９６側に切り替え、スイッチＳＷ２を第３ジャック端子側に切り替える。また、制御回路７０は、スイッチＳＷ１，ＳＷ２を切り替えた後に、ＤＴＭＦジェネレータ９６を制御して、４００Ｈｚ／９０ｍＶｐ−ｐのトーン信号（テスト信号）を一定時間（たとえば、１００ｍｓ）出力する。出力されたトーン信号は第３ジャック端子に入力され、４極イヤホンプラグが挿入されている場合は、トーン信号の回り込みによって、第１ジャック端子で漏れ信号が検出される。一方、５極イヤホンプラグが挿入されている場合は、トーン信号の回り込みが発生しないため、第１ジャック端子で漏れ信号は検出されない。そして、本実施例では、第１ジャック端子における漏れ信号の有無を利用して、イヤホンプラグの種類を識別する。
【０１０４】
図７はイヤホンジャック２６に４極イヤホンプラグが挿入されている状態の電気的な接続を示す図解図である。なお、図７において不要な回路などは省略している。図７を参照して、スイッチＳＷ１が切り替えられた後に、ＤＴＭＦジェネレータ９６から出力されたトーン信号は、第３ジャック端子から左イヤピース（Ｌｃｈ）に入力される。このとき、トーン信号の回り込みが発生し、トーン信号の信号レベルに対して約半分（４５ｍＶｐ−ｐ）の漏れ信号が第１ジャック端子に流れる。
【０１０５】
図８を参照して、上述した漏れ信号の波形は波形Ｗ１で示される。そして、漏れ信号は、第１増幅回路１１０において波形Ｗ２となるように増幅され、さらに第２増幅回路１１２によって波形Ｗ３となるように増幅される。つまり、正弦波である漏れ信号は、第１増幅回路１１０および第２増幅回路１１２によって、４００Ｈｚで「Ｈ」と「Ｌ」を繰り返すパルス信号に増幅される。また、増幅されたパルス信号は、識別信号として制御回路７０の割り込み信号検出ポートに入力される。そして、制御回路７０は、「Ｈ」と「Ｌ」を繰り返す識別信号の変化を、たとえば所定回数（たとえば、３回）検出すると、４極イヤホンプラグが挿入されたと識別する。なお、パルス信号を利用することによって得られる効果は、後述するため、ここでの説明は省略する。また、所定回数は、３回未満であってもよし、４回以上であってもよい。
【０１０６】
一方、図９はイヤホンジャック２６に５極イヤホンプラグが挿入されている状態の電気的な接続を示す図解図である。なお、図９でも、図７と同様、不要な回路などは省略している。図９を参照して、トーン信号は、第３ジャック端子から左イヤピース（Ｌｃｈ）に入力される。このとき、５極イヤホンプラグのＧＮＤ端子５４ａは、接地されている第２ジャック端子と接続されるため、第１ジャック端子に漏れ信号は流れない。つまり、制御回路７０は、トーン信号の出力中に、第１ジャック端子においてトーン信号の回り込みを検出できない場合、５極イヤホンプラグが挿入されたと識別する。
【０１０７】
次に、４極イヤホンプラグと識別されたときに設定される、４極イヤホンモードについて説明する。４極イヤホンモードが設定された場合、出力音声信号の設定と、エコーキャンセラ７６に対する設定と、音声ゲインの設定とが変更される。
【０１０８】
４極イヤホンモードが設定され、出力音声信号の設定が変更されると、左音声信号の出力は維持されるが、第２アナログアンプ８４の増幅率が下げられるため、右音声信号の出力は停止する。この場合、図７から分かるように、左右のイヤピースがＧＮＤに対して直列に並ぶため、左右のイヤピースから同等の音量の音声が出力される。また、ステレオ音声を出力する場合には、制御回路７０はセレクタ８１で左右の音声信号を合成し、その合成音声が第３ジャック端子から出力される。つまり、４極イヤホンプラグが挿入された場合でも、左右のイヤピースから音声を出力することができる。なお、４極イヤホンモードでは、５極イヤホンプラグが挿入されている状態に対して、音量が高く設定される。
【０１０９】
また、制御回路７０がエコーキャンセラ７６の設定を変更すると、エコーに対する検出感度のパラメータが高くなる。パラメータが高くなると、エコーキャンセラ７６のエコー検出レベルが低くなり、僅かなエコーでも送話側の音声がミュートされるようになる。したがって、４極イヤホンが利用されている場合は、エコーキャンセラ７６によってダブルトーク性能がやや低下するが、一定の通話品質を確保することができる。
【０１１０】
一方、５極イヤホンの挿入が検出された場合には、イヤホンジャック２６の各ジャック端子と５極イヤホンプラグの各端子とがそれぞれ正しく接続されるため、音声を通常通り出力することができる。また、エコーキャンセラ７６のパラメータは高く設定されず、挿話音声信号がミュートもしくはアッテネートされる頻度少なくなるため、高い通話品質を確保することができる。
【０１１１】
このように、本実施例では、４極および５極イヤホンの内部回路の違いを利用して、それらのイヤホンプラグの挿入を識別できるので、端子の数が異なるイヤホンを適切に利用することができるようになる。また、識別に必要なイヤホンジャック２６側の端子の数を少なくして、イヤホンジャック２６を小型化することができる。
【０１１２】
また、携帯電話機用として市場に多く出回っている４極イヤホンが利用された場合は、４極イヤホンモードを設定することで、左右イヤピースの音量差の発生や、エコーによる通話品質の低下を防ぐことができる。
【０１１３】
続いて、イヤホンプラグが挿入されたときに生じる４極イヤホンプラグと５極イヤホンプラグとの誤識別について説明する。たとえば、５極イヤホンプラグがイヤホンジャック２６に対してゆっくり挿入されると、イヤホンジャック２６の内部は図１０に示す状態になることがある。
【０１１４】
図１０を参照して、５極イヤホンプラグが挿入されている状態のイヤホンジャック２６の断面図では、第１ジャック端子はＧＮＤ端子５４ａと接触し、第２ジャック端子は左音声端子５２ａと接触し、第３ジャック端子および第４ジャック端子はマイク端子５０ａと接触する。つまり、第３ジャック端子と第４ジャック端子とが、マイク端子５０ａによって短絡する。また、この状態では、第５ジャック端子には、スイッチ端子５８ａは接触していないが、第６ジャック端子は、第４ジャック端子の接点７１から離れた状態となるため、検出信号が「Ｌ（挿入）」となり、トーン信号が第３ジャック端子に入力される。
【０１１５】
つまり、図１０の状態では、第３ジャック端子と第４ジャック端子とが短絡した状態で、第３ジャック端子にトーン信号が入力される。そして、この状態の回路図は図１１に示すようになる。
【０１１６】
図１１を参照して、後述する対策がされていない場合、第３ジャック端子から出力されるトーン信号は、イヤホンマイクを経由して、第１ジャック端子に漏れ信号が流れる。つまり、５極イヤホンプラグが挿入されているにもかかわらず、識別信号が制御回路７０に入力されてしまい、４極イヤホンプラグが挿入されていると誤識別されてしまう。
【０１１７】
そこで、本実施例では、トーン信号は、イヤホンプラグの挿入を検出してから所定時間（たとえば、５００ｍｓ）が経過した後に、出力されるようにする。また、トーン信号が出力されている間は、＋Ｂ２によって第４ジャック端子に印加されている、電圧バイアス（マイクバイアス）をオフにして、イヤホンマイクを非動作状態にする。その結果、イヤホンマイクのインピーダンスが高くなるため、イヤホンマイクを経由して回り込む、漏れ信号の発生が抑制される。したがって、イヤホンジャック２６に対してイヤホンプラグがゆっくり挿入されたとしても、誤識別されなくなる。
【０１１８】
また、イヤホンプラグがゆっくり挿入された場合、チャタリングによって誤識別されることもあるため、本実施例では、上述したパルス信号の変化を利用してヒステリシスをとることで、ゆっくりとイヤホンプラグが挿入されたときの誤識別を防止している。
【０１１９】
図１２は、ＲＡＭ３０のメモリマップを示す図である。ＲＡＭ３０のメモリマップには、プログラム記憶領域３０２およびデータ記憶領域３０４が含まれる。また、プログラムおよびデータの一部は、フラッシュメモリ２８から一度に全部または必要に応じて部分的かつ順次的に読み出され、ＲＡＭ３０に記憶されてからプロセッサ１８（または制御回路７０）によって処理される。
【０１２０】
プログラム記憶領域３０２には、携帯電話機１０を動作させるためのプログラムが記憶されている。たとえば、携帯電話機１０を動作させるためのプログラムには、識別プログラム３１０などが含まれる。識別プログラム３１０は、イヤホンジャック２６に挿入されたイヤホンプラグが、５極イヤホンプラグか４極イヤホンプラグかを識別するためのプログラムである。
【０１２１】
なお、図示は省略するが、携帯電話機１０を動作させるためのプログラムには、音声着信状態を通知するためのプログラムや、ＰＴＴ機能を実行するためのプログラムなども含まれる。
【０１２２】
続いて、データ記憶領域３０４には、挿入フラグ３３２、４極イヤホンモードフラグ３３４およびトーンカウンタ３３４などが設けられる。挿入フラグ３３０は、イヤホンプラグが挿入されているかを判断するためのフラグであり、挿入信号に基づいてオン／オフが切り替えらえる。たとえば、挿入フラグ３３０は、１ビットのレジスタで構成される。挿入フラグ３３０がオン（成立）されると、レジスタにはデータ値「１」が設定される。一方、挿入フラグ３３０がオフ（不成立）されると、レジスタにはデータ値「０」が設定される。
【０１２３】
４極イヤホンモードフラグ３３２は、４極イヤホンモードが設定されているか否かを示すフラグである。また、４極イヤホンモードフラグ３３２は、挿入フラグ３３０と同じ構成であるため、詳細な説明は省略する。
【０１２４】
トーンカウンタ３３４は、一定時間（たとえば、１００ｍｓ）を計測するためのカウンタであり、リセット（初期化）されるとカウント（計測）を開始する。そのため、トーンカウンタ３３４はトーンタイマと呼ばれることもある。
【０１２５】
なお、図示は省略するが、データ記憶領域３０４には、他の携帯電話機の電話番号やメールアドレスを含むアドレスデータや、受信した音声信号の復号結果など記憶されると共に、携帯電話機１０の動作に必要なカウンタや、フラグも設けられる。
【０１２６】
プロセッサ１８は、Ａｎｄｒｏｉｄ（登録商標）およびＲＥＸなどのＬｉｎｕｘ（登録商標）ベースのＯＳや、その他のＯＳの制御下で、図１３に示す識別処理などを含む複数のタスクを並列的に処理する。
【０１２７】
図１３は識別処理のフロー図である。たとえば、挿入信号の状態が変化すると、制御回路７０（プロセッサ１８）は、ステップＳ１で挿入信号が「Ｌ」か否かを判断する。つまり、イヤホンジャック２６にイヤホンプラグが挿入されたかが判断される。ステップＳ１で“ＮＯ”であれば、たとえばイヤホンプラグが抜去され、挿入信号が「Ｈ」であれば、ステップＳ３で挿入フラグ３３０をオフにする。続いて、ステップＳ５では４極イヤホンモードの設定を解除する。つまり、４極イヤホンモードフラグ３３２をオフにする。そして、４極イヤホンモードフラグ３３２がオフにされると、左音声信号が第３ジャック端子から出力され右音声信号が第１ジャック端子から出力されるように設定される。また、エコーキャンセラ７６のパラメータの設定および音声ゲインの設定が５極イヤホン用に変更される。そして、ステップＳ５の処理が終了すれば、識別処理を終了する。
【０１２８】
一方、ステップＳ１で“ＹＥＳ”であれば、つまりイヤホンプラグがイヤホンジャック２６に挿入されると、ステップＳ７で挿入フラグ３３０をオンにする。続いて、ステップＳ９ではマイクバイアスをオフにする。つまり、第４ジャック端子に印加されている、＋Ｂ２の電圧バイアス（マイクバイアス）がオフにされる。続いて、ステップＳ１１では、待機処理を実行する。つまり、イヤホンプラグの誤識別を防ぐために、待機処理が実行される。また、待機処理が実行されると、所定時間（５００ｍｓ）の待機タイマがリセットされ、待機タイマが満了するまでステップＳ１１の処理が実行され続ける。なお、ステップＳ１１の処理を実行する制御回路７０（プロセッサ１８）は実行部として機能する。
【０１２９】
続いて、ステップＳ１３では、トーン信号を出力する。たとえば、ＤＴＭＦジェネレータ９６に対して、４００Ｈｚ／９０ｍＶｐ−ｐのトーン信号を出力させる命令を発行する。続いて、ステップＳ１５ではトーンタイマを初期化する。つまり、トーン信号を出力し続ける時間を計測するために、トーンカウンタ３３４が初期化される。続いて、ステップＳ１７で変数Ｎを初期化する。つまり、変数Ｎは、パルス信号である識別信号の変化をカウントするために利用されるため、ステップＳ１７で初期化される。
【０１３０】
続いて、ステップＳ１９では、トーンタイマが満了したか否かを判断する。つまり、トーン信号が出力されてから一定時間が経過したかが判断される。ステップＳ１９で“ＮＯ”であれば、つまりトーンタイマが満了していなければ、ステップＳ２１で識別信号が変化したか否かを判断する。つまり、パルス信号の変化が制御回路７０に入力されたかが判断される。ステップＳ２１で“ＮＯ”であれば、識別信号が変化していなければ、ステップＳ１９に戻る。一方、ステップＳ２１で“ＹＥＳ”であれば、つまり識別信号が変化すれば、ステップＳ２３で変数Ｎをインクリメントする。たとえば、変数Ｎが「０」であれば、インクリメントされると、変数Ｎは「１」となる。続いて、ステップＳ２５では、変数Ｎが定数Ｃ（たとえば、３）以上であるか否かが判断される。つまり、識別信号の変化が所定回数以上であるかが判断される。ステップＳ２５で“ＹＥＳ”であれば、たとえば識別信号の変化が３回検出されると、ステップＳ２７で４極イヤホンモードを設定する。つまり、４極イヤホンモードフラグ３３２がオンにされる。そして、４極イヤホンモードフラグがオンにされると、左右の音声が合成され、その合成音が第３ジャック端子から出力されるように設定される。さらに、エコーキャンセラ７６のパラメータの設定および音声ゲインの設定が４極イヤホン用に変更される。そして、ステップＳ２７の処理が終了すると、ＤＴＭＦジェネレータ９６に対して、トーン信号の出力を停止する命令が発行される。なお、ステップＳ１９−Ｓ２５の処理を実行する制御回路７０は識別部として機能する。また、ステップＳ２７の処理を実行する制御回路７０は設定部として機能する。
【０１３１】
また、ステップＳ２５で“ＮＯ”であれば、たとえば変数Ｎが「２」であり、定数Ｃより小さければ、ステップＳ１９に戻る。また、ステップＳ１９で“ＹＥＳ”であれば、つまり識別信号が所定回数変化する前に、トーンタイマが満了すれば、ステップＳ２９で、ステップＳ５と同様、４極イヤホンモードの設定を解除する。さらに、ステップＳ２９の処理が終了すると、ＤＴＭＦジェネレータ９６に対して、トーン信号の出力を停止する命令が発行される。
【０１３２】
そして、ステップＳ２７またはステップＳ２９の処理が終了すれば、ステップＳ３１でマイクバイアスをオンにする。つまり、第４ジャック端子に印加されている、＋Ｂ２の電圧バイアスをオンにする。また、ステップＳ３１の処理が終了すれば、識別処理を終了する。
【０１３３】
なお、第１実施例では、漏れ信号を２段のＢ級増幅回路１１０，１１２によって増幅したが、他の実施例では、別の増幅回路が利用されてもよい。また、増幅回路の数も２つだけに限らず、１つでもよいし、３つ以上であってもよい。また、２つの増幅回路は、マイク信号が入力される第４ジャック端子に接続されてもよい。
【０１３４】
また、その他の実施例では、トーン信号は、第１ジャック端子に出力されてもよい。この場合、２つの増幅回路は、第３ジャック端子に接続されてもよいし、第４ジャック端子に設けられてもよい。
【０１３５】
＜第２実施例＞
第２実施例では、挿入されたイヤホンが識別されると、識別結果に基づいて右音声が入力されるジャック端子および接地されるジャック端子が切り替えられる。これにより、利用されているイヤホンの種類に関係なく、ステレオ音声がイヤホンから出力される。
【０１３６】
図１４は、第２実施例のプロセッサ１８およびイヤホンジャック２６の周辺の電気的な構成を示す図解図である。なお、第２実施例のプロセッサ１８およびイヤホンジャック２６は、略第１実施例と同じであるため、以下の説明では、第１実施例と異なる点について説明する。
【０１３７】
プロセッサ１８は、ステレオ音声再生回路９８をさらに含み、スイッチＳＷ１に代えてスイッチＳＷ５が設けられる。また、制御回路７０は、複数のＳＰＤＴを同時に切り替えるための切り替え信号をアナログスイッチ７３に出力する。
【０１３８】
まず、ステレオ音声再生回路９８は、音楽データなどから左右の音声信号（ステレオ音声信号）を生成するための回路である。たとえば、音楽プレイヤ機能が実行された場合、プロセッサ１８はフラッシュメモリ２８から音楽データを読み出す。プロセッサ１８では、読み出された音楽データがステレオ音声再生回路９８に入力され、ステレオ音声信号が生成される。
【０１３９】
スイッチＳＷ５には、エコーキャンセラ７６、ＤＴＭＦジェネレータ９６およびステレオ音声再生回路９８が接続される。また、スイッチＳＷ５の状態は、携帯電話機１０の状態に応じて切り替えられる。そして、スイッチＳＷ５が切り替えられると、エコーキャンセラ７６、ＤＴＭＦジェネレータ９６およびステレオ音声再生回路９８の内、いずれか１つの出力が第１デジタルゲイン７８に入力される。
【０１４０】
たとえば、プロセッサ１８が通話処理を実行している場合、制御回路７０はスイッチＳＷ５を制御し、エコーキャンセラ７６の出力（受話音声）を第１デジタルゲイン７８に入力する。このとき、相手が通話中などであれば、制御回路７０はスイッチＳＷ５を制御して、ＤＴＭＦジェネレータ９６の出力（トーン信号）を第１デジタルゲイン７８に入力する。そして、プロセッサ１８が音楽プレイヤ機能を実行している場合、制御回路７０はスイッチＳＷ５を制御して、ステレオ音声再生回路９８の出力（ステレオ音声信号）を第１デジタルゲイン７８に入力する。
【０１４１】
また、プロセッサ１８が音楽プレイヤ機能を実行している場合、制御回路７０はセレクタ８１を制御して、左右の音声信号がそれぞれの経路に入力されるようにする。つまり、セレクタ８１では、左音声を左音声の経路、つまり第１アナログアンプ８２に入力し、右音声を右音声の経路、つまり第２アナログアンプ８４に入力する。このとき、イヤホンが挿入されていなければ、左右の音声信号は、加算器８６で合成された後に、第３アナログアンプ８８でさらに増幅されてから、スピーカ１６に与えられる。一方、イヤホンが挿入されている場合は、左右のイヤピースから左音声および右音声が出力される。
【０１４２】
なお、プロセッサ１８によって、ラジオ機能、ＴＶ機能（ワンセグ機能）および動画再生機能などが実行された場合でも、ステレオ音声再生回路９８はステレオ音声を生成することがある。
【０１４３】
次に、イヤホンジャック２６には上述したアナログスイッチ７３が接続される。第２実施例の第１ジャック端子は、切り替え部として機能するアナログスイッチ７３のポートＰ２およびポートＰ３と接続される。そして、第１ジャック端子には、アナログスイッチ７３の切り替え状態に応じて、右音声信号が入力されたり、ＧＮＤが繋がれたりする。
【０１４４】
第２ジャック端子はアナログスイッチ７３のポートＰ１およびポートＰ４と接続される。そして、第２ジャック端子には、アナログスイッチ７３の切り替え状態に応じて、ＧＮＤと繋がれたり、右音声信号が入力されたりする。
【０１４５】
上述したアナログスイッチ７３は、ＳＰＤＴ(Single Pole Double Throw)スイッチを２つ含む。また、アナログスイッチ７３は、上述したようにポートＰ１−Ｐ４に第１ジャック端子または第２ジャック端子が接続される。ポートＰ５はスイッチＳＷ３と接続され、イヤホンが挿入された状態では、右音声信号が入力される。ポートＰ６，Ｐ７はプロセッサ１８と接続され、共にプロセッサ１８から切り替え信号が入力される。ポートＰ８，Ｐ９はＧＮＤと接続される。そして、ポートＰ１０には電源回路３２の＋Ｂ１が接続される。
【０１４６】
また、ポートＰ１，Ｐ２，Ｐ５によって１つのＳＰＤＴスイッチが構成され、ポートＰ３，Ｐ４，Ｐ８によってもう一つのＳＰＤＴスイッチが構成される。そして、上記ポートＰ６，Ｐ７に入力される切り替え信号によって、２つのＳＰＤＴスイッチが同時に切り換えられる。
【０１４７】
たとえば、右音声信号はポートＰ５に入力されると、ＳＰＤＴスイッチの切り替え状態に応じて、ポートＰ１またはポートＰ２から出力される。また、ポートＰ３またはポートＰ４は、ＳＰＤＴスイッチの切り替え状態に応じて、接地されているポートＰ８と接続される。
【０１４８】
図１４に示すように、初期状態では５極イヤホンプラグの端子配列と対応するように、アナログスイッチ７３が切り替えられているため、右音声信号が入力されるＳＰＤＴスイッチでは、５極イヤホンプラグの右音声端子と繋がるポートＰ２（第１ジャック端子）がポートＰ５と接続される。また、ＧＮＤと接続されるＳＰＤＴスイッチでは、５極イヤホンプラグのＧＮＤ端子と繋がるポートＰ４（第２ジャック端子）がポートＰ８と接続される。この場合、ポートＰ３およびＰ１は、他の端子と接触しない状態となる。また、初期状態の切り替え信号は「Ｌ」の状態に設定される。
【０１４９】
ここで、挿入されたイヤホンプラグが４極イヤホンプラグと識別された場合、制御回路７０は、切り替え信号を「Ｈ」の状態に設定することで、アナログスイッチ７３に含まれる２つのＳＰＤＴスイッチを同時に切り替える。つまり、右音声信号が入力されるＳＰＤＴスイッチでは、４極イヤホンプラグの右音声端子と繋がるポートＰ１（第２ジャック端子）がポートＰ５と接続される。また、ＧＮＤと接続されるＳＰＤＴスイッチでは、４極イヤホンプラグのＧＮＤ端子と繋がるポートＰ３（第１ジャック端子）がポートＰ８と接続される。
【０１５０】
そのため、４極イヤホンプラグが挿入されたと判定された場合、第１ジャック端子が接地され、第２ジャック端子に右音声信号が出力されるように、アナログスイッチ７３が切り替えられる。
【０１５１】
このように、第２実施例では、識別結果に基づいて右音声が出力される端子が切り替えらえる。そのため、４極イヤホンプラグが挿入された場合でも、イヤホンからステレオ音声を出力することが出来る。
【０１５２】
また、第２実施例では、４極イヤホンモードを設定する必要が無い。特に、第１実施例と異なり、エコーキャンセラ７６のエコーに対する検出感度のパラメータを高くする必要が無くなるため、４極イヤホンが利用されているときでも、５極イヤホンが利用されているときと同様の通話品質を確保することが出来る。
【０１５３】
図１５は第２実施例の識別処理のフロー図である。ただし、第１実施例の識別処理と同じ処理については、同じ符号を付してある。たとえば、挿入信号の状態が変化すると、制御回路７０（プロセッサ１８）は、ステップＳ１で挿入信号が「Ｌ」か否かを判断する。ステップＳ１で“ＮＯ”であれば、つまりイヤホンプラグが抜去され挿入信号が「Ｈ」であれば、ステップＳ３でプロセッサ１８は、挿入フラグ３３０をオフにする。
【０１５４】
続いて、プロセッサ１８は、ステップＳ４で切り替え信号を初期化して、識別処理を終了する。つまり、アナログスイッチ７３に入力される切り替え信号が「Ｌ」にされる。
【０１５５】
一方、ステップＳ１で“ＹＥＳ”であれば、つまりイヤホンプラグが挿入され挿入信号が「Ｌ」となれば、プロセッサ１８は、ステップＳ７で挿入フラグ３３０をオンにして、ステップＳ９でマイクバイアスをオフにする。続いて、プロセッサ１８は、ステップＳ１１で待機処理を実行し、ステップＳ１３でトーン信号を出力し、ステップＳ１５でトーンタイマを初期化し、ステップＳ１７で変数Ｎを初期化する。
【０１５６】
続いて、ステップＳ１９でトーンタイマが満了したか否かを判断する。ステップＳ１９で“ＮＯ”であれば、つまりトーン信号が出力されてから一定時間が経過していなければ、ステップＳ２１でプロセッサ１８は、識別信号が変化したか否かを判断する。ステップＳ２１で“ＮＯ”であれば、つまり識別信号が変化していなければ、ステップＳ１９に戻る。一方、ステップＳ２１で“ＹＥＳ”であれば、つまり識別信号が変化すれば、ステップＳ２３でプロセッサ１８は、識別信号の変化をカウントする変数Ｎをインクリメントする。続いて、ステップＳ２５でプロセッサ１８は、変数Ｎが定数Ｃ以上となったか否かを判断する。つまり、識別信号の変化が所定回数以上であるかが判断される。
【０１５７】
ステップＳ２５で“ＹＥＳ”であれば、つまり識別信号の変化が所定回数以上であれば、ステップＳ２６でプロセッサ１８は、切り替え信号を「Ｈ」に設定する。つまり、４極イヤホンのイヤホンプラグが挿入されたため、アナログスイッチ７３に含まれる２つのＳＰＤＴスイッチが同時に切り替えられる。これにより、４極イヤホンプラグの右音声端子と繋がるポートＰ１がポートＰ５と接続され、４極イヤホンプラグのＧＮＤ端子と繋がるポートＰ３がポートＰ８と接続される。その結果、４極イヤホンプラグの右音声端子５６ｂに右音声信号が入力され、ＧＮＤ端子５４ｂが接地される。
【０１５８】
一方、ステップＳ２５で“ＮＯ”であれば、つまり変数Ｎが定数Ｃ未満であれば、プロセッサ１８はステップＳ１９に戻る。ステップＳ１９で“ＹＥＳ”であれば、つまりトーン信号が出力されてから一定時間が経過すれば、ステップＳ２８でプロセッサ１８は、識別信号が「Ｌ」であるか否かを判断する。つまり、トーン信号が出力されてから一定時間が経過した後も識別信号が変化していないかが判断される。ステップＳ２８で“ＮＯ”であれば、つまり識別信号が変化して「Ｈ」であれば、プロセッサ１８はステップＳ２５に戻る。
【０１５９】
また、ステップＳ２８で“ＹＥＳ”であれば、つまり識別信号が変化しておらず「Ｌ」であれば、ステップＳ３０でプロセッサ１８は、切り替え信号を「Ｌ」に設定する。つまり、つまり、５極イヤホンのイヤホンプラグが挿入されたため、アナログスイッチ７３に含まれる２つのＳＰＤＴスイッチが初期状態にされる。これにより、その結果、５極イヤホンプラグの右音声端子５６ａに右音声信号が入力され、ＧＮＤ端子５４ａが接地される。
【０１６０】
そして、ステップＳ２６またはステップＳ３０の処理が終わると、プロセッサ１８は、ステップＳ３１でマイクバイアスをオンにして、識別処理を終了する。
【０１６１】
＜第３実施例＞
図１６を参照して、第３実施例の携帯電話機１０は、コンピュータまたはＣＰＵと呼ばれるプロセッサ１８を含む。また、プロセッサ１８には、無線通信回路７２、Ａ／Ｄ変換器９２、第１Ｄ／Ａ変換器８０ａ、キー入力装置２０、表示ドライバ２２、フラッシュメモリ２８、ＲＡＭ３０および電源回路３２などが接続される。
【０１６２】
無線通信回路７２にはアンテナ１２が接続される。Ａ／Ｄ変換器９２にはマイク１４が接続され、第１Ｄ／Ａ変換器８０ａにはスピーカ１６が接続され、第２Ｄ／Ａ変換器８０ｂにはイヤホンジャック２６が接続される。表示ドライバ２２にはディスプレイ２４が接続される。そして、電源回路３２には二次電池３４などが接続される。なお、イヤホンジャック２６はプロセッサ１８および電源回路３２とも接続される。
【０１６３】
ここで、第３実施例の携帯電話機１０の電気的な構成は第１実施例および第２実施例とは異なるが、実質的に同じ構成部分については、第１実施例および第２実施例と同じ符号を付して説明する。
【０１６４】
プロセッサ１８は携帯電話機１０の全体制御を司る。Ａ／Ｄ変換器９２は、マイク１４を通して入力される音声ないし音についてのアナログ音声信号を、デジタル音声信号に変換する。第１Ｄ／Ａ変換器８０ａは、デジタル音声信号をアナログ音声信号に変換（復号）して、図示しないアンプを介してスピーカ１６に与える。したがって、アナログ音声信号に対応する音声ないし音がスピーカ１６から出力される。なお、プロセッサ１８は、アンプの増幅率を制御することで、スピーカ１６から出力される音声の音量を調整することができる。
【０１６５】
同様に、第２Ｄ／Ａ変換器８０ｂも、デジタル音声信号をアナログ音声信号に変換（復号）して、図示しないアンプを介してイヤホンジャック２６に与える。なお、プロセッサ１８は、第２Ｄ／Ａ変換器８０ｂと接続されるアンプの増幅率を制御することで、イヤホンから出力される音声の音量を調整することができる。
【０１６６】
無線通信回路７２は、ＣＤＭＡ方式で無線通信を行うための回路である。たとえば、使用者がキー入力装置２０を用いて電話発信（発呼）を指示すると、無線通信回路７２は、プロセッサ１８の指示の下、電話発信処理を実行し、アンテナ１２を介して電話発信信号を出力する。電話発信信号は、基地局および通信網（図示せず）を経て相手の電話機に送信される。そして、相手の電話機において着信処理が行われると、通信可能状態が確立され、プロセッサ１８は通話処理を実行する。
【０１６７】
通常の通話処理について具体的に説明すると、相手の電話機から送られてきた変調音声信号はアンテナ１２によって受信される。受信された変調音声信号には、無線通信回路７２によって復調処理および復号処理が施される。そして、これらの処理によって得られた受話音声信号は、第１Ｄ／Ａ変換器８０ａによってアナログ音声信号に変換された後、スピーカ１６から出力される。一方、マイク１４を通して取り込まれた送話音声信号は、Ａ／Ｄ変換器９２によってデジタル音声信号に変換された後、プロセッサ１８に与えられる。デジタル音声信号に変換された送話信号には、プロセッサ１８の指示の下、無線通信回路７２によって符号化処理および変調処理が施され、アンテナ１２を介して出力される。したがって、変調音声信号は、基地局および通信網を介して相手の電話機に送信される。
【０１６８】
また、相手の電話機からの電話発信信号がアンテナ１２によって受信されると、無線通信回路７２は、電話着信（着呼）をプロセッサ１８に通知する。これに応じて、プロセッサ１８は、表示ドライバ２２を制御して、着信通知に記述された発信元情報（電話番号など）をディスプレイ２４に表示する。また、これとほぼ同時に、プロセッサ１８は、図示しないスピーカから着信音（着信メロディ、着信音声と言うこともある。）を出力させる。
【０１６９】
そして、使用者が通話キーを用いて応答操作を行うと、無線通信回路７２は、プロセッサ１８の指示の下、電話着信処理を実行する。さらに、通信可能状態が確立され、プロセッサ１８は上述した通常の通話処理を実行する。
【０１７０】
また、通話可能状態に移行した後に終話キーによって通話終了操作が行われると、プロセッサ１８は、無線通信回路７２を制御して、通話相手に通話終了信号を送信する。そして、通話終了信号の送信後、プロセッサ１８は通話処理を終了する。また、先に通話相手から通話終了信号を受信した場合も、プロセッサ１８は通話処理を終了する。さらに、通話相手によらず、移動通信網から通話終了信号を受信した場合も、プロセッサ１８は通話処理を終了する。
【０１７１】
ここで、第３実施例では、イヤホンジャック２６に挿入されたイヤホンプラグの種類を識別して、イヤホンジャック２６の右音声信号を出力するジャック端子と、ＧＮＤと繋がるジャック端子とを適切に切り替える。
【０１７２】
図１７はイヤホンジャック２６の電気的な構成の他の一例を示す図解図である。図１７を参照して、イヤホンジャック２６には、５極イヤホンプラグの右音声端子５６ａまたは４極イヤホンプラグのＧＮＤ端子５４ｂと接触する第１ジャック端子（第１端子、第３端子）、マイク端子５０と接触する第４ジャック端子、左音声端子５２と接触する第３ジャック端子（第２端子、第１端子）、５極イヤホンプラグのＧＮＤ端子５４ａまたは４極イヤホンプラグの右音声端子５６ｂと接触する第２ジャック端子（第３端子、第２端子）、接点７１によって第４ジャック端子と接触する第６ジャック端子および５極イヤホンプラグのスイッチ端子５８ａと接触する第５ジャック端子が含まれる。
【０１７３】
第１ジャック端子は、切り替え部として機能するアナログスイッチ７３のポートＰ２およびポートＰ３と接続される。また、第１ジャック端子の接点とアナログスイッチ７３との間には、判定信号をプロセッサ１８に出力するＡ／Ｄ変換器７５が接続される。詳細は後述するが、プロセッサ１８は、検出部として機能するＡ／Ｄ変換器７５の出力を判定信号として利用することで、４極イヤホンプラグまたは５極イヤホンプラグを判定する。そして、第１ジャック端子には、アナログスイッチ７３の切り替え状態に応じて、右音声信号が入力されたり、ＧＮＤが繋がれたりする。
【０１７４】
第４ジャック端子は０．１μＦのコンデンサＣ１および図示しないＡ／Ｄ変換器を介してプロセッサ１８と接続される。また、第４ジャック端子の接点７１とコンデンサＣ１との間には、２ｋΩの抵抗Ｒ１を介して、電源回路３２の＋Ｂ２が接続される。さらに、第４ジャック端子には、ＰＴＴイヤホンまたはハンズフリーイヤホンのマイクを通して入力される音声ないし音についてのアナログ音声信号が入力される。そのため、入力されたアナログ音声信号は、上記Ａ／Ｄ変換器によってデジタル音声信号に変換された後に、マイク信号としてプロセッサ１８に出力される。なお、プロセッサ１８は、マイク信号の電圧値を検出することができ、検出された電圧値はＲＡＭ３０のイヤホンスイッチバッファ３３８に格納される。
【０１７５】
第３ジャック端子は３３Ωの抵抗Ｒ４および２２μＦのコンデンサＣ２を介してプロセッサ１８と接続される。また、第３ジャック端子の接点と抵抗Ｒ４との間には、判定スイッチＳＷ６および１００Ωの抵抗Ｒ６を介して、電源回路３２の＋Ｂ１が接続される。なお、プロセッサ１８が出力する左チャンネルのデジタル音声は、第２Ｄ／Ａ変換機８０ｂによってアナログ音声信号に変換された後に、第３ジャック端子に入力される。
【０１７６】
第２ジャック端子はアナログスイッチ７３のポートＰ１およびポートＰ４と接続される。そして、第２ジャック端子には、アナログスイッチ７３の切り替え状態に応じて、ＧＮＤと繋がれたり、右音声信号が入力されたりする。
【０１７７】
第６ジャック端子は、プロセッサ１８と接続されている。また、接点７１とプロセッサ１８との間には、３３０ｋΩの抵抗Ｒ３を介してＧＮＤと接続される。さらに、イヤホンプラグが挿入されていない状態では上述したように第６ジャック端子の接点７１が第４ジャック端子と接触しており、イヤホンプラグが挿入された状態になると、接点７１が第４ジャック端子から離れる。そして、第４ジャック端子には＋Ｂ２が接続されているため、接点７１が第４ジャック端子と接触していれば、第６ジャック端子に電圧が印加される。一方、接点７１が第４ジャック端子と接触していなければ、第６ジャック端子には電圧が印加されない。そのため、第６ジャック端子の電圧値は、イヤホンプラグの挿入を挿入信号として利用される。
【０１７８】
たとえば、イヤホンプラグが挿入されていなければ第６ジャック端子には電圧が印加されるため挿入信号は「Ｈ」となり、プロセッサ１８はイヤホンプラグが挿入されていないと判断する。一方、イヤホンプラグが挿入されていれば第６ジャック端子には電圧が印加されないため、挿入信号は「Ｌ」となり、プロセッサ１８はイヤホンプラグが挿入されていると判断する。
【０１７９】
第５ジャック端子は、１ｋΩの抵抗Ｒ５を介してプロセッサ１８と接続される。また、抵抗Ｒ５とプロセッサ１８との間には、１０ｋΩの抵抗Ｒ２を介して、電源回路３２の＋Ｂ１が接続される。そして、第５ジャック端子に印加される電圧値は、ＰＴＴスイッチのオン／オフによって変化するため、その電圧値は、ＰＴＴスイッチ信号として利用される。
【０１８０】
上述したアナログスイッチ７３は、ＳＰＤＴ（Ｓｉｎｇｌｅ  Ｐｏｌｅ  Ｄｏｕｂｌｅ  Ｔｈｒｏｗ）スイッチを２つ含む。また、アナログスイッチ７３は、上述したようにポートＰ１−Ｐ４に第１ジャック端子または第２ジャック端子が接続される。ポートＰ５は３３Ωの抵抗Ｒ７および２２μＦのコンデンサＣ３を介してプロセッサ１８と接続され、右音声信号が入力される。ポートＰ６，Ｐ７はプロセッサ１８と接続され、共にプロセッサ１８から切り替え信号が入力される。ポートＰ８，Ｐ９はＧＮＤと接続される。そして、ポートＰ１０には電源回路３２の＋Ｂ１が接続される。
【０１８１】
また、ポートＰ１，Ｐ２，Ｐ５によって１つのＳＰＤＴスイッチが構成され、ポートＰ３，Ｐ４，Ｐ８によってもう一つのＳＰＤＴスイッチが構成される。そして、上記ポートＰ６，Ｐ７に入力される切り替え信号によって、２つのＳＰＤＴスイッチが同時に切り換えられる。
【０１８２】
たとえば、右音声信号はポートＰ５に入力されると、ＳＰＤＴスイッチの切り替え状態に応じて、ポートＰ１またはポートＰ２から出力される。また、ポートＰ３またはポートＰ４は、ＳＰＤＴスイッチの切り替え状態に応じて、接地されているポートＰ８と接続される。
【０１８３】
また、図１７に示すように、初期状態では５極イヤホンプラグの端子配列と対応するように、アナログスイッチ７３が切り替えられているため、右音声信号が入力されるＳＰＤＴスイッチでは、５極イヤホンプラグの右音声端子と繋がるポートＰ２（第１ジャック端子）がポートＰ５と接続される。また、ＧＮＤと接続されるＳＰＤＴスイッチでは、５極イヤホンプラグのＧＮＤ端子と繋がるポートＰ４（第２ジャック端子）がポートＰ８と接続される。
【０１８４】
なお、この場合、ポートＰ３およびＰ１は、他の端子と接触しない状態となる。また、初期状態の切り替え信号は「Ｌ」の状態に設定される。
【０１８５】
ここで、４極イヤホンプラグがイヤホンジャック２６に挿入されると、挿入信号は「Ｈ」の状態となり判定スイッチＳＷ６がオンにされる。このとき、第１ジャック端子、第３ジャック端子、第２ジャック端子および４極イヤホンの周辺を表す等価回路は、図１８（Ａ）のように示される。図１８（Ａ）を参照して、４極イヤホンは、直列に接続された３２Ωの抵抗ＥＲ１および抵抗ＥＲ２を含む。また、抵抗ＥＲ１の一方端が第３ジャック端子に接続され、抵抗ＥＲ２の一方端が第２ジャック端子に接続され、抵抗ＥＲ１と抵抗ＥＲ２との間に第１ジャック端子が接続される。この状態では、電源回路３２の＋Ｂ１の電圧が、抵抗Ｒ１および第３ジャック端子を介して４極イヤホンに印加され、抵抗ＥＲ１および抵抗ＥＲ２の分圧によって、第１ジャック端子に電圧（たとえば、０．５０７Ｖ）が印加される。そのため、Ａ／Ｄ変換器７５から出力される検出信号は「Ｈ」の状態となる。
【０１８６】
そして、プロセッサ１８は検出信号が「Ｈ」の状態であれば、切り替え信号を「Ｈ」の状態に設定することで、アナログスイッチ７３に含まれる２つのＳＰＤＴスイッチを同時に切り替える。つまり、右音声信号が入力されるＳＰＤＴスイッチでは、４極イヤホンプラグの右音声端子と繋がるポートＰ１（第２ジャック端子）がポートＰ５と接続される。また、ＧＮＤと接続されるＳＰＤＴスイッチでは、４極イヤホンプラグのＧＮＤ端子と繋がるポートＰ３（第１ジャック端子）がポートＰ８と接続される。
【０１８７】
そのため、４極イヤホンプラグが挿入されたと判定された場合、第１ジャック端子が接地され、第２ジャック端子に右音声信号が出力されるように、アナログスイッチ７３が切り替えられる。
【０１８８】
次に、５極イヤホンプラグがイヤホンジャックに挿入されると、第１ジャック端子、第３ジャック端子、第２ジャック端子および５極イヤホンの周辺を表す等価回路は、図１８（Ｂ）のように示される。図１８（Ｂ）を参照して、５極イヤホンは、３２Ωの抵抗ＥＲ３および抵抗ＥＲ４を含む。抵抗ＥＲ４の一方端が第３ジャック端子に接続され、他方端が第２ジャック端子に接続される。また、抵抗ＥＲ４の他方端と第２ジャック端子との間には、抵抗ＥＲ３を介して第１ジャック端子が接続される。さらに、この状態では、電源回路３２の＋Ｂ１の電圧が、抵抗Ｒ１および第３ジャック端子を介して５極イヤホンに印加される。そして、５極イヤホンに電圧が印加されることで流れた電流は、抵抗ＥＲ４を介してＧＮＤに落ちるが、第１ジャック端子側には抵抗ＥＲ３があるため、第１ジャック端子では電圧が検出されない。つまり、Ａ／Ｄ変換器７５から出力される検出信号は「Ｌ」の状態となる。
【０１８９】
ただし、本実施例では、検出信号が「Ｌ」の状態となっても、切り替え信号の初期状態が「Ｌ」の状態に設定されているため、アナログスイッチ７３は、図１７に示す初期状態から変化しない。
【０１９０】
このように、初期状態および５極イヤホンプラグが挿入されたと判定された状態では、第１ジャック端子に右音声信号が出力されかつ第２ジャック端子が接地されるように、アナログスイッチ７３が切り替えられた状態となる。
【０１９１】
以上の説明から分かるように、イヤホンの内部回路の違いを利用して、４極または５極イヤホンプラグの挿入を判定できる。したがって、判定に必要なジャック端子の数を少なくして、イヤホンジャック２６を小型化することができる。
【０１９２】
図１９は、ＲＡＭ３０のメモリマップを示す図である。プログラム記憶領域３０２には、携帯電話機１０を動作させるためのプログラムが記憶されている。たとえば、携帯電話機１０を動作させるためのプログラムには、判定プログラム３１２などが含まれる。判定プログラム３１２は、イヤホンジャック２６に挿入されたイヤホンプラグが、５極イヤホンプラグか４極イヤホンプラグかを判定するためのプログラムである。なお、図示は省略するが、携帯電話機１０を動作させるためのプログラムには、音声着信状態を通知するためのプログラムや、ＰＴＴを実行するためのプログラムなども含まれる。
【０１９３】
続いて、データ記憶領域３０４には、ＰＴＴスイッチバッファ３３６およびイヤホンスイッチバッファ３３８が設けられるとともに、４極フラグ３４０および５極フラグ３４２も設けられる。
【０１９４】
ＰＴＴスイッチバッファ３３６には、ＰＴＴスイッチ信号の状態が一時的に記憶される。イヤホンスイッチバッファ３３８には、イヤホンスイッチのオン／オフを示すマイク信号の電圧値が一時的に記憶される。
【０１９５】
４極フラグ３４０および５極フラグ３４２は、４極プラグおよび５極プラグがイヤホンジャック２６に挿入されているかを示すフラグである。そして、４極フラグ３４０および５極フラグ３４２は初期状態では共にオフにされる。たとえば、４極フラグ３４０は、１ビットのレジスタで構成される。４極フラグ３４０がオン（成立）されると、レジスタにはデータ値「１」が設定される。一方、４極フラグ３４０がオフ（不成立）されると、レジスタにはデータ値「０」が設定される。また、５極フラグ３４２は、４極フラグ３４０と同じ構成であるため、詳細な説明は省略する。
【０１９６】
なお、図示は省略するが、データ記憶領域３０４には、他の携帯電話機の電話番号やメールアドレスを含むアドレスデータや、受信した音声信号の復号結果など記憶されると共に、携帯電話機１０の動作に必要なカウンタや、フラグも設けられる。
【０１９７】
プロセッサ１８は、Ａｎｄｒｏｉｄ（登録商標）およびＲＥＸなどのＬｉｎｕｘ（登録商標）ベースのＯＳや、その他のＯＳの制御下で、図２０に示す判定プログラムなどを含む複数のタスクを並列的に処理する。
【０１９８】
図２０は判定処理のフロー図である。たとえば、携帯電話機１０の電源がオンにされると、プロセッサ１８は、ステップＳ５１でイヤホンが接続されたか否かを判断する。つまり、第６ジャック端子から得られる挿入信号が「Ｌ」の状態であるかを判断する。ステップＳ５１で“ＮＯ”であれば、つまりイヤホンプラグが挿入されておらず挿入信号が「Ｈ」の状態であれば、ステップＳ８１に進む。
【０１９９】
また、ステップＳ５１で“ＹＥＳ”であれば、つまり４極または５極のイヤホンプラグが挿入され、挿入信号が「Ｌ」の状態であれば、ステップＳ５３で５極フラグ３４２がオンであるか否かが判断される。つまり、５極イヤホンプラグが挿入されていると既に判定されているかが判断される。ステップＳ５３で“ＹＥＳ”あれば、つまり挿入されているイヤホンプラグが５極であると判定されていれば、ステップＳ６５に進む。また、ステップＳ５３で“ＮＯ”であれば、つまり挿入されているイヤホンプラグが５極と判定されていなければ、ステップＳ５５で４極フラグ３４０がオンであるか否かが判断される。つまり、４極イヤホンプラグが挿入されていると既に判定されているかが判断される。ステップＳ５５で“ＹＥＳ”であれば、つまり挿入されているイヤホンプラグが４極であると判定されていれば、ステップＳ７７に進む。
【０２００】
一方、ステップＳ５５で“ＮＯ”であれば、つまり挿入されたイヤホンプラグの極数が判定されていない状態であれば、プロセッサ１８はステップＳ５７で判定スイッチＳＷ６をオンにする。つまり、判定信号によって５極イヤホンプラグまたは４極イヤホンプラグが挿入されているかを判定するために、電源回路３２の＋Ｂ１の電圧が、第３ジャック端子に印加される。なお、ステップＳ５７の処理を実行するプロセッサ１８は電圧印加部として機能する。
【０２０１】
続いて、ステップＳ５９では５極イヤホンか否かを判断する。つまり、第１ジャック端子の電圧に基づく判定信号が、「Ｌ」の状態であるか否かを判定する。ステップＳ５９で“ＮＯ”であれば、つまり判定信号が「Ｈ」の状態であれば、ステップＳ７１に進む。
【０２０２】
また、図１８（Ｂ）に示すように、第１ジャック端子に電圧が印加されていれば、ステップＳ６１で判定スイッチＳＷ６をオフにする。つまり、判定に必要な判定信号の状態が得られたため、判定スイッチＳＷ６はオフにされる。続いて、ステップＳ６３で５極フラグ３４２はオンにされる。つまり、５極イヤホンプラグが挿入されていると判定されたため、５極フラグ３４２がオンにされる。なお、ステップＳ６３の処理を実行するプロセッサ１８は第１判定部として機能する。
【０２０３】
ただし、アナログスイッチ７３は、初期状態では５極イヤホンプラグに対応するように設定されているため、挿入されたイヤホンプラグが５極イヤホンプラグと判定されても、アナログスイッチ７３の状態は変化しない。
【０２０４】
続いて、ステップＳ６５ではＰＴＴスイッチがオンであるか否かを判断する。つまり、第５ジャック端子から得られるＰＴＴスイッチ信号が「Ｌ」の状態であるかが判断される。ステップＳ６５で“ＮＯ”であれば、たとえば使用者がＰＴＴスイッチをオンにしていなければ、ステップＳ６７で受信状態処理を実行する。受信状態処理が実行されると、たとえば他の携帯電話機から音声信号を受信したかが判断される。そして、受信状態処理が終了すれば、判定処理も終了する。一方、ステップＳ６５で“ＹＥＳ”であれば、たとえば使用者がＰＴＴスイッチをオンにすれば、ステップＳ６９で送信状態処理を実行する。つまり、ＰＴＴイヤホンのマイクに入力された音声信号が他の携帯電話機に送信される。そして、送信状態処理が終了すれば、判定処理も終了する。
【０２０５】
なお、他の実施例では、ＰＴＴが実行されていない状態では、ステップＳ６７またはステップＳ６９の処理が実行されないようにしてもよい。
【０２０６】
また、イヤホンジャック２６に４極イヤホンプラグが挿入されると、図１８（Ａ）の状態となるため、ステップＳ７１では切り替え信号を「Ｈ」の状態に設定する。これにより、アナログスイッチ７３に含まれる２つのＳＰＤＴスイッチが同時に切り替えられる。そのため、右音声信号が入力されるＳＰＤＴスイッチでは、４極イヤホンプラグの右音声端子と繋がるポートＰ１（第２ジャック端子）がポートＰ５と接続される。また、ＧＮＤと接続されるＳＰＤＴスイッチでは、４極イヤホンプラグのＧＮＤ端子と繋がるポートＰ３（第１ジャック端子）がポートＰ８と接続される。
【０２０７】
続いて、ステップＳ７３では、ステップＳ６１と同様、判定スイッチＳＷ６をオフにする。続いて、ステップＳ７５で、４極フラグ３４０はオンにされる。つまり、４極イヤホンプラグが挿入されていると判定されたため、４極イヤホンフラグ３４０がオンにされる。なお、ステップＳ７５の処理を実行するプロセッサ１８は第２判定部として機能する。
【０２０８】
続いて、ステップＳ７７では、イヤホンスイッチがオフか否かを判断する。つまり、イヤホンスイッチバッファ３３８に格納される、マイク信号の電圧値が閾値を超えているか否かを判断する。ステップＳ７７で“ＮＯ”であれば、つまりイヤホンスイッチがオンにされておらず、バッファに格納されるマイク信号の電圧値が閾値以下であれば、判定処理を終了する。一方、ステップＳ７７で“ＹＥＳ”であれば、つまりイヤホンスイッチがオンにされ、バッファに格納されるマイク信号の電圧値が閾値を超えていれば、ステップＳ７９で電話処理を実行して、判定処理が終了される。たとえば、待機状態で電話処理が実行されると、発信履歴に基づいて音声発信処理が実行さえる。また、着信状態で電話処理が実行されると、通信可能状態が確立された後に、通話処理が実行される。さらに、通話状態で電話処理が実行されると、通話相手に通話終了信号を送信して、通話処理を終了する。
【０２０９】
また、判定処理は、約１００ｍｓ毎に繰り返して実行される。そのため、４極または５極イヤホンプラグがイヤホンジャック２６から引き抜かれると、ステップＳ５１で“ＮＯ”と判断され、ステップＳ８１で各フラグが初期化される。つまり、４極フラグ３４０および５極フラグ３４２がオフに設定される。そして、ステップＳ８３では、切り替え信号を「Ｌ」の状態に設定し、判定処理が終了される。つまり、ステップＳ８３が実行されると、アナログスイッチ７３に含まれる２つのＳＰＤＴスイッチが図１７に示す状態に戻る。
【０２１０】
なお、イヤホンプラグが挿入されていなければ、判定処理が実行される度に、ステップＳ５１では“ＮＯ”と判断される。
【０２１１】
なお、第３実施例では、アナログスイッチ７３の初期状態は５極イヤホンプラグの端子配列に対応するように設定されているが、他の実施例では４極イヤホンプラグの端子配列に対応するように設定されてもよい。
【０２１２】
また、携帯電話機１０の通信方式はＣＤＭＡ方式であるが、ＬＴＥ方式、Ｗ−ＣＤＭＡ方式、ＧＳＭ（登録商標）方式、ＴＤＭＡ方式、ＦＤＭＡ方式およびＰＨＳ方式などが採用されてもよい。さらに、ディスプレイ２４にはＬＣＤモニタが利用されるが、有機ＥＬパネルなどが採用されてもよい。
【０２１３】
また、本実施例で用いられたプログラムは、データ配信用のサーバのＨＤＤに記憶され、ネットワークを介して携帯電話機１０に配信されてもよい。また、ＣＤ，ＤＶＤ，ＢＤ(Blu-ray Disc)などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯電話機にインストールされた場合、本実施例と同等の効果が得られる。
【０２１４】
さらに、本実施例は、携帯電話機１０のみに限らず、いわゆるスマートフォンや、タブレット型のＰＣ、携帯型の音楽プレイヤおよびＰＤＡなどに適用されてもよい。
【０２１５】
そして、本明細書中で挙げた具体的な数値は、いずれも単なる一例であり、製品の仕様などの必要に応じて適宜変更可能である。
【符号の説明】
【０２１６】
１０    …  携帯電話機
１２    …  アンテナ
１８    …  プロセッサ
２０    …  キー入力装置
２６    …  イヤホンジャック
３０    …  ＲＡＭ
３２    …  電源回路
５２ａ，５２ｂ    …  左音声端子
５４ａ，５４ｂ    …  ＧＮＤ端子
５６ａ，５６ｂ    …  右音声端子
７０    …  制御回路
７２    …  無線通信回路
７３    …  アナログスイッチ
７４    …  ＶＯＣＯＤＥＲ
７５    …  Ａ／Ｄ変換器
７６    …  エコーキャンセラ
８２    …  第１アナログアンプ
８４    …  第２アナログアンプ
８８    …  第３アナログアンプ
９０    …  第４アナログアンプ
９６    …  ＤＴＭＦジェネレータ
１１０    …  第１増幅回路
１１２    …  第２増幅回路
【図１】
0005798943.tif 000002
【図２】
0005798943.tif 000003
【図３】
0005798943.tif 000004
【図４】
0005798943.tif 000005
【図５】
0005798943.tif 000006
【図６】
0005798943.tif 000007
【図７】
0005798943.tif 000008
【図８】
0005798943.tif 000009
【図９】
0005798943.tif 000010
【図１０】
0005798943.tif 000011
【図１１】
0005798943.tif 000012
【図１２】
0005798943.tif 000013
【図１３】
0005798943.tif 000014
【図１４】
0005798943.tif 000015
【図１５】
0005798943.tif 000016
【図１６】
0005798943.tif 000017
【図１７】
0005798943.tif 000018
【図１８】
0005798943.tif 000019
【図１９】
0005798943.tif 000020
【図２０】
0005798943.tif 000021